(57)【要約】【課題】液剤収容タンクを備える柄と、吐出部を備える清掃ヘッドとの２軸型ジョイント部材による連結部における、液剤の流路の消耗や破損を効果的に回避できる湿式清掃具を提供する。【解決手段】２軸型ジョイント部材１５による柄１２と清掃ヘッド１１との連結部１６が、清掃ヘッド１１の上面部から起立する一対のヘッド側支持部１７と、柄１２の下端部から突出する一対の柄側支持部１８との間に、２軸型ジョイント部材１５を、第１回動軸部１９をヘッド側支持部１７に回動自在に支持させ、第２回動軸部１０を柄側支持部１８に回動自在に支持させて設けることによって構成される。また、液剤収容タンク１３から吐出部１４に延びる液剤の流路２１が、２軸型ジョイント部材１５の内部を通過し、第１回動軸部１９及びヘッド側支持部１７の該第１回動軸部１９の回動軸心１９ａを含む部分を貫通して、前記吐出部に至るようになっている。【選択図】図３
2008161565.tif 000002
【特許請求の範囲】
【請求項１】
液剤収容タンクを備える柄と、前記液剤収容タンクから送られる液剤を吐出する吐出部を備える清掃ヘッドと、前記柄と前記清掃ヘッドとを連結する連結部材とを有する湿式清掃具であって、
前記連結部材は、前記清掃ヘッドの上面から起立する一対のヘッド側支持部と、前記柄の端部から突出する一対の柄側支持部との間に、第１回動軸部が前記ヘッド側支持部に回動自在に支持され、第２回動軸部が前記柄側支持部に回動自在に支持されて設けられており、
且つ、前記液剤収容タンクから前記吐出部に延びる前記液剤の流路が、前記連結部材の内部を通過し、前記第１回動軸部及び前記ヘッド側支持部の該第１回動軸部の回動軸心を含む部分を貫通して、前記吐出部に至る湿式清掃具。
【請求項２】
前記液剤の流路が、前記柄側支持部の外側から前記柄側支持部及び前記第２回動軸部の該第２回動軸部の回動軸心を含む部分を貫通して前記連結部材の内部に導入される請求項１記載の湿式清掃具。
【請求項３】
前記連結部材の内部を通過する前記液剤の流路が、中実に形成した前記連結部材の内部を穴開けして設けられた穴開け流路である請求項１又は２記載の湿式清掃具。
【請求項４】
前記連結部材の内部を通過する前記液剤の流路が、中空に形成した前記連結部材の内部に配設したチューブによる配管流路である請求項１又は２記載の湿式清掃具。
【発明の詳細な説明】
【技術分野】
【０００１】
本発明は、液剤収容タンクを備える柄と、液剤収容タンクから送られる液剤を吐出する吐出部を備える清掃ヘッドと、柄と清掃ヘッドとを連結する連結部材とを有する湿式清掃具に関する。
【背景技術】
【０００２】
例えば液体洗浄剤やワックス等の液剤を、柄に設けた液剤収容タンクから清掃ヘッドに設けた吐出部に供給して、清掃ヘッドに取り付けた清掃シート等を湿った状態に保持しながら、床面等の被清掃面の清掃や仕上げを効率良く行えるようにした湿式清掃具が種々提案されている（例えば、特許文献１参照）。このような湿式清掃具では、液剤収容タンクと吐出部とを連通する可撓性を備えるチューブを介して、液剤収容タンクから吐出部に液剤を供給するようになっている。
【０００３】
一方、柄と清掃ヘッドとを連結する連結部材として、清掃ヘッドに対する柄の向きを前後方向での垂直面に沿って変えるだけでなく、前後左右の４方向に変えることを可能にして、３６０°のいずれの方向に対しても回動でき、しかもヘッド角を調整できるようにした、いわゆるユニバーサルジョイントとして知られる２軸型ジョイント部材が種々提案されている（例えば、特許文献１参照）。
【特許文献１】特表２００３−５０６１１０号公報
【特許文献２】特許第３２３４１４７号公報
【発明の開示】
【発明が解決しようとする課題】
【０００４】
例えば２軸型ジョイント部材を介在させて柄と清掃ヘッドとを連結した清掃具に、液剤収容タンクや液材の吐出部を設けて湿式清掃具として用いる場合、柄が清掃ヘッドに対して垂直方向及び３６０°の方向に向きを変えることができるため、柄に設けた液剤収容タンクと、清掃ヘッドに設けた吐出部とを連通する例えば可撓性を備えるチューブには、２軸型ジョイント部材による連結部の周囲で捻れたり、伸ばされたり、曲げられたりすることにより、過度の負担がかかり易くなる。
【０００５】
また、特許文献１の湿式清掃具では、ボール及びフォークからなる構造を有するユニバーサルジョインが用いられており、ボールの内部において、可撓性を有するチューブを、フォークを回動可能に支持する連結ピンの周囲に沿って曲折配置することにより、連結ピンを中心にしてフォークを回動させても、チューブに捩れが生じないようになっているが、フォークの回動によって、ボールの内部でチューブには曲折角度の変動や収縮、伸び等を生じることになるため、このような変形時の負担によって、チューブの消耗や破損を生じ易くなる。
【０００６】
本発明は、液剤収容タンクを備える柄と、吐出部を備える清掃ヘッドとの連結部材による連結部における、液剤の流路の消耗や破損を効果的に回避することのできる湿式清掃具を提供することを目的とする。
【課題を解決するための手段】
【０００７】
本発明は、液剤収容タンクを備える柄と、前記液剤収容タンクから送られる液剤を吐出する吐出部を備える清掃ヘッドと、前記柄と前記清掃ヘッドとを連結する連結部材とを有する湿式清掃具であって、前記連結部材は、前記清掃ヘッドの上面から起立する一対のヘッド側支持部と、前記柄の端部から突出する一対の柄側支持部との間に、第１回動軸部が前記ヘッド側支持部に回動自在に支持され、第２回動軸部が前記柄側支持部に回動自在に支持されて設けられており、且つ、前記液剤収容タンクから前記吐出部に延びる前記液剤の流路が、前記連結部材の内部を通過し、前記第１回動軸部及び前記ヘッド側支持部の該第１回動軸部の回動軸心を含む部分を貫通して、前記吐出部に至る湿式清掃具を提供することにより、上記目的を達成したものである。
【発明の効果】
【０００８】
本発明の湿式清掃具によれば、液剤収容タンクを備える柄と、吐出部を備える清掃ヘッドとの連結部材による連結部における、液剤の流路の消耗や破損を効果的に回避することができる。
【発明を実施するための最良の形態】
【０００９】
図１に示す本発明の好ましい第１実施形態に係る湿式清掃具１０は、清掃ヘッド１１に着脱交換可能に取り付けた使捨て用の清掃シート（図示せず。）を液体洗浄剤やワックス等の液剤によって湿らせた状態で、例えば床面を被清掃面として清掃作業や仕上げ作業を行うために用いられる。また、本第１実施形態では、液剤収容タンク１３を備える柄１２と、液剤を吐出する吐出部１４を備える清掃ヘッド１１とを、図２に示す連結部材としての２軸型ジョイント部材１５を介して連結することにより、柄１２は、清掃ヘッド１１に対してその向きを前後方向での垂直面に沿って変えるだけでなく、前後左右の４方向へ変えることができると共に、３６０°のいずれの方向に対しても回動でき、しかも清掃ヘッド１１のヘッド角を調整できるようなっている。本第１実施形態では、柄１２と清掃ヘッド１１とが２軸型ジョイント部材１５を介して連結された上述のような湿式清掃具１０において、清掃ヘッド１１に対して柄１２を任意の方向に繰り返し動かすことにより、液剤収容タンク１３と吐出部１４とを連通する液剤の流路が、２軸型ジョイント部材１５の周囲で消耗したり破損するのを効果的に回避できるようにするために採用されたものである。
【００１０】
そして、本第１実施形態の湿式清掃具１０は、図１及び図２に示すように、液剤収容タンク１３を備える柄１２と、液剤収容タンク１３から送られる液剤を吐出する吐出部１４を備える清掃ヘッド１１と、柄１２と清掃ヘッド１１とを連結する２軸型ジョイント部材１５とを有する清掃具であって、２軸型ジョイント部材１５は、清掃ヘッド１１の上面から起立する一対のヘッド側支持部１７と、柄１１の端部から突出する一対の柄側支持部１８との間に、第１回動軸部１９がヘッド側支持部１７に回動自在に支持され、第２回動軸部２０が柄側支持部１８に回動自在に支持されて設けられており、且つ、液剤収容タンク１３から吐出部１４に延びる液剤の流路２１が、２軸型ジョイント部材１５の内部を通過し、第１回動軸部１９及びヘッド側支持部１７の該第１回動軸部１９の回動軸心１９ａを含む部分を貫通して、吐出部１４に至るようになっている。
【００１１】
また、本第１実施形態では、連結部材としての２軸型ジョイント部材１５は、内部が中空に形成されており、２軸型ジョイント部材１５の内部を通過する液剤の流路２１が、２軸型ジョイント部材１５の内部に配設した可撓性を有するチューブ２２による配管流路となっている。
【００１２】
本第１実施形態では、柄１２は、図１に示すように、上段パイプ部１２ａと、中段パイプ部１２ｂと、下段パイプ部１２ｃとを、公知の各種の連結手段１２ｄを介して着脱可能に軸方向に連結一体化してなるものである。上段パイプ部１２ａには、ハンドル２３が取り付けられていると共に、例えば柄１２の内部に配設した電線や配管、シャフト等を介して液剤収容タンク１３や吐出部１４と接続し、液剤の供給や吐出を開閉操作する操作レバー２３ａが設けられている。また中段パイプ部１２ｂには、液剤収容タンク１３が取り付けられている。さらに、下段パイプ部１２ｃには、これの端部（下端部）に一対の柄側支持部１８が突出して設けられると共に、これの内部に、一端を液剤収容タンク１３に接続して液剤の流路２１を形成する可撓性を有するチューブ２１が挿通配置されている（図３参照）。
【００１３】
清掃ヘッド１１は、略矩形平面形状のヘッド本体２５の下面側に、弾性面を備える押圧パッド２６を装着してなるものであり、ヘッド本体２５の上面の中央部分から起立して、一対のヘッド側支持部１７が、略矩形平面形状の短手方向に対向して設けられている。また、ヘッド本体２５の上面には、ジグザグ状のスリット２４ａが形成された柔軟な弾性材料からなる公知のシート保持部２４が、当該上面の周縁部分に配置されて複数設けられている（図２参照）。例えば下面側の押圧用パッド２６を覆うようにして清掃シートを清掃ヘッド１１に巻き付けた後に、清掃シートの端縁部を、スリット２４ａを介してシート保持部２４に押し込むことにより、清掃シートを清掃ヘッド１１に着脱交換可能に容易に装着できるようになっている。
【００１４】
２軸型ジョイント部材１５は、好ましくは特許第３２３４１４７号公報等に記載される公知のものに適宜改良を加えて用いることができる。本第１実施形態では、２軸型ジョイント部材１５は、図２に示すように、各角部分が湾曲形状に面取りされた中空の略六面体状を有しており、一対の対向する面には、円盤形状の第１回動軸部１９が、各面の中央部分から外側に突出して各々設けられている。また少なくとも清掃ヘッド１１の吐出部１４側に配置される面には、第１回動軸部１９の回動軸心１９ａを含む部分である中央部分を貫通する第１貫通穴２７が開口形成されている。第１回動軸部１９は、一対のヘッド側支持部１７の内側面に形成された第１軸穴凹部２８の内部に、第１案内溝２９を介して押し込むことにより各々係止される。これによって２軸型ジョイント部材１５は、清掃ヘッド１１の短手方向に対向して配置されたヘッド側支持部１７に回動自在に支持される。
【００１５】
また、本第１実施形態では、中空の略六面体状を備える２軸型ジョイント部材１５の他の一対の対向する面には、円盤形状の第２回動軸部２０が、各面の中央部分から外側に突出して各々設けられている。なお、本第１実施形態では、２軸型ジョイント部材１５の他の一対の対向する面の少なくとも一方に、第２回動軸部２０の回動軸心２０ａを含む部分である中央部分を貫通する第２貫通穴３０を開口形成することができる。後述する第２実施形態のように、例えばチューブ２２による薬剤の流路２１を下段パイプ部１２ｃの外周面に沿ってこれの軸方向に配置し、柄側支持部１８の外側からチューブ２２を中空の２軸型ジョイント部材１５の内部に導入する際に、この第２貫通穴３０にチューブ２２を挿通して、２軸型ジョイント部材１５の内部に延設させることが可能になる。そして、第２回動軸部２０には、一対の柄側支持部１８の内側面に形成された第２軸穴凹部３１が、第２案内溝３２を介して押し込まれることにより係止されて、清掃ヘッド１１の長手方向に対向して配置された柄側支持部１８が、ヘッド側支持部１７に回動自在に取り付けた２軸型ジョイント部材１５に回動可能に支持される。
【００１６】
このように、連結部１６において、２軸型ジョイント部材１５を介して柄１２と清掃ヘッド１１とが連結されることにより、柄１２は、清掃ヘッド１１に対してその向きを前後方向での垂直面に沿って変えるだけでなく、前後左右の４方向へ変えることができると共に、３６０°のいずれの方向に対しても回動でき、しかも清掃ヘッド１１のヘッド角を調整できるようになる。
【００１７】
なお、本第１実施形態では、中空の略六面体状を備える２軸型ジョイント部材１５の、回動軸部１９，２０が設けられていない残りの２面は、天面側に配置される面にはチューブ２２の挿通穴３３が開口形成されていると共に、図３に示すように、底面側に配置される面は開口面となっている。
【００１８】
そして、本第１実施形態では、柄１２の液剤収容タンク１３から清掃ヘッド１１の吐出部１４に延びるチューブ２２による液剤の流路２１が、図３に示すように、２軸型ジョイント部材１５の中空の内部を通過し、吐出部１４側に配置された一方の第１回動軸部１９の第１貫通穴２７を経て、当該第１回動軸部１９の回動軸心１９ａを含む部分の延長上に設けられた、吐出部１４側に配置された一方のヘッド側支持部１７の導出穴３４を貫通した後に、吐出部１４に接続されるようになっている。
【００１９】
すなわち、本第１実施形態では、一端が液剤収容タンク１３に接続する可撓性を有するチューブ２２は、柄１２の下段パイプ部１２ｃの中空内部に配設されて、２軸型ジョイント部材１５まで下方に延設し、２軸型ジョイント部材１５の天面部に設けられた挿通穴３３を介してこれの中空内部に導入される。２軸型ジョイント部材１５の中空内部に導入されたチューブ２２は、一対の第１回動軸部１９の中心を結ぶ回動軸心１９ａに沿うように略直角に湾曲した後に、一方の第１回動軸部１９の第１貫通穴２７を経て、吐出部１４側に配置された一方のヘッド側支持部１７の導出穴３４に挿通されることにより、２軸型ジョイント部材１５及びヘッド側支持部１７の外側に導出される。２軸型ジョイント部材１５の外側に導出されたチューブ２２は、さらに、一対の第１回動軸部１９の中心を結ぶ回動軸心１９ａに沿うように吐出部１４に向けて延設し、好ましくは固定シール部３５ａを介して回転部材３５ｃに固定された状態で、この回転部材３５ｃを回転シール部３５ｂを介して吐出部１４の吐出ノズル１４ａに接続する。これによって、チューブ２２は回転部材３５ｃと共に回転可能となり、２軸型ジョイント部材１５が回転してもチューブ２２は変形されることはない。ここで、チューブ２２は、一方の第１回動軸部１９の第１貫通穴２７及びヘッド側支持部１７の導出穴３４に挿通されて延設する際に、当該チューブ２２の中心軸が第１回動軸部１９の回動軸心１９ａと概ね一致するように配設されることが好ましい。これによって、連結部１６におけるチューブ２２の変形をさらに効果的に抑制することが可能になる。
【００２０】
なお、本第１実施形態では、吐出部１４は、公知の各種の吐出ノズル１４ａと固定台１４ｂとからなり、例えばノズルチップ１４ｃを介して、液剤を好ましくは噴霧状態で吐出できる機能を備えている。吐出ノズル１４ａは、固定台１４ｂに支持されることにより、その軸心を第１回動軸部１９の回動軸心１９ａと合致させた状態で、清掃ヘッド１１の上面に取り付けられる。
【００２１】
そして、上述の構成を備える本第１実施形態の湿式清掃具１０では、液剤収容タンク１３を備える柄１２と、吐出部１４を備える清掃ヘッド１３との２軸型ジョイント部材１５を用いた連結部１６における、液剤の流路２１の消耗や破損を効果的に回避することが可能になる。すなわち、本第１実施形態によれば、液剤収容タンク１３から吐出部１４に延びるチューブ２２による液剤の流路２１が、２軸型ジョイント部材１５の中空内部を通過し、第１回動軸部１９を経て当該第１回動軸部１９の回動軸心１９ａを含む部分の延長上のヘッド側支持部１７を貫通して、吐出部１４に接続されるので、柄１２を清掃ヘッド１１に対して任意の方向に繰り返し動かしても、チューブ２２による流路２１は、２軸型ジョイント部材１５の内部において、一対の第１回動軸部１９の中心を結ぶ回動軸心１９ａを中心に回転するだけで、伸縮や曲げを生じないので、チューブ２２の変形時の負担を無視できる程度に軽減することが可能になり、これによってチューブ２２による流路２１が消耗したり破損したりするのを効果的に回避することが可能になる。
【００２２】
なお、一対の第１回動軸部１９を結ぶ回動軸心１９ａを中心としたチューブ２２の回転による変形は、上述のように、吐出部１４に設けられた固定シール部３５ａ及び回転シール部３５ｂを介することにより吸収することが可能であるが、吐出部１４との接続が固定シール部３５ａのみによるものであっても、回転による捩れ変形をチューブ２２の可撓性によって吸収して、その負担を無視できる程度に軽減することが可能になる。この場合は、固定シール部３５ａが設けられた接続固定部３５ｄを吐出部１４と一体として形成することもできる（図５，図６参照）。
【００２３】
また、本第１実施形態によれば、２軸型ジョイント部材１５の内部にチューブ２２による液剤の流路２１が設けられて、連結部１６の外側にチューブ２２が突出していないので、チューブ２２が周囲のものに触れたり絡まったりすることによって破損するのを、効果的に回避することが可能になる。
【００２４】
図４は、本発明の好ましい第２実施形態に係る湿式清掃具の要部を示すものである。本第２実施形態によれば、２軸型ジョイント部材１５による連結部１６の構成が、上記第１実施形態のものと相違しており、チューブ２２による液剤の流路２１が、柄側支持部１８の外側から、柄側支持部１８及び第２回動軸部２０の該第２回動軸部２０の回動軸心２０ａを含む部分を貫通して２軸型ジョイント部材１５の内部に導入されている。
【００２５】
すなわち、図４に示す本第２実施形態では、液剤収容タンク１３に一端が接続するチューブ２２は、下段パイプ部１２ｃの外周面に沿って連結部１６に向けてこれの軸方向に延設し、一方の柄側支持部１８における第２回動軸部２０の回動軸心２０ａを含む部分の延長上に設けた導入穴３６（図２参照）を介して柄側支持部１８を貫通すると共に、一方の第２回動軸部２０の回動軸心２０ａを含む部分に設けられた第２貫通穴３０を経て、２軸型ジョイント部材１５の内部に導入される。２軸型ジョイント部材１５の中空内部に導入されたチューブ２２は、一対の第２回動軸部２０の中心を結ぶ回動軸心２０ａに沿うように延設する状態から、一対の第１回動軸心１９の中心を結ぶ回動軸心１９ａに沿うように略直角に湾曲した後に、上記第１実施形態と同様に、一方の第１回動軸部１９の第１貫通穴２７を経て、吐出部１４側に配置された一方のヘッド側支持部１７の導出穴３４に挿通されることにより、２軸型ジョイント部材１５及びヘッド側支持部１７の外側に導出されて、吐出部１４の吐出ノズル１４ａと接続する。ここで、チューブ２２は、柄側支持部１８の導入穴３６及び一方の第２回動軸部２０の第１貫通穴２７に挿通されて延設する際に、当該チューブ２２の中心軸が第２回動軸部２０の回動軸心２０ａと概ね一致するように配設されることが好ましい。これによって、連結部１６におけるチューブ２２の変形をさらに効果的に抑制することが可能になる。
【００２６】
そして、本第２実施形態の湿式清掃具によっても、液剤収容タンク１３から吐出部１４に延びるチューブ２２による液剤の流路２１が、柄側支持部１８の外側から、第２回動軸部２０の回動軸心２０ａを含む部分の延長上において柄側支持部１８を貫通し、第２回動軸部２０を経て２軸型ジョイント部材１５の内部に導入され、２軸型ジョイント部材１５の中空内部を通過すると共に、第１回動軸部１９の第１貫通穴２７を経てヘッド側支持部１７の導出穴３４を貫通して、吐出部１４に接続されるので、柄１２を清掃ヘッド１１に対して任意の方向に繰り返し動かしても、チューブ２２の変形時の負担を無視できる程度に軽減することが可能になり、これによって上記第１実施形態と同様の作用効果が奏されることになる。
【００２７】
図５は、本発明の好ましい第３実施形態に係る湿式清掃具の要部を示すものである。本第３実施形態の湿式清掃具は、上記第１実施形態の変形例であり、連結部１６’を構成する２軸型ジョイント部材１５’の内部を通過する液剤の流路２１’が、中実に形成した２軸型ジョイント部材１５’の内部を穴開けして設けられた穴開け流路３７となっている。
【００２８】
すなわち、本第３実施形態では、２軸型ジョイント部材１５’は、中実に形成されると共に、これの内部に、天面部の中央から当該２軸型ジョイント部材１５’の中心部分に向かって延設した後、この中心部分で垂直に折れ曲がって、一対の第１回動軸部１９の中心を結ぶ回動軸心１９ａに沿うように延設し、先端が吐出部１４側の一方の第１回動軸部１９の回動軸心１９ａを含む部分である中央部分に開口する穴開け流路３７が設けられている。また、穴開け流路３７の天面部側の端部には、第１チューブ装着部３７ａが設けられる。この第１チューブ装着部３７ａには、液剤収容タンク１３に一端部が接続されると共に下段パイプ部１２ｃの内部に配設されたチューブ２２の他端部が、接続固定される。さらに、穴開け流路３７の第１回動軸部１９側の端部には、第２チューブ装着部３７ｂが設けられる。この第２チューブ装着部３７ｂには、吐出部１４側に配置された一方のヘッド側支持部１７の導出穴３４に挿通されて一端部が接続固定部３５ｄ（又は回転シール部３５ｂを介して接続された回転部材３５ｃ）を介して吐出部１４の吐出ノズル１４ａと接続する接続チューブ３８の他端部が、接続固定される。
【００２９】
そして、本第３実施形態の湿式清掃具によっても、液剤収容タンク１３から吐出部１４に延びる液剤の流路２１’が、２軸型ジョイント部材１５’の内部を通過し、第１回動軸部１９を経て当該第１回動軸部１９の回動軸心１９ａを含む部分の延長上においてヘッド側支持部１７を貫通して、吐出部１４に接続されるので、上記第１実施形態と同様の作用効果が奏されることになる。
【００３０】
図６は、本発明の好ましい第４実施形態に係る湿式清掃具の要部を示すものである。本第４実施形態の湿式清掃具は、上記第２実施形態の変形例であり、連結部１６”を構成する２軸型ジョイント部材１５”の内部を通過する液剤の流路２１”が、中実に形成した２軸型ジョイント部材１５”の内部を穴開けして設けられた穴開け流路３９となっている。
【００３１】
すなわち、本第４実施形態では、２軸型ジョイント部材１５”は、中実に形成されると共に、これの内部に、一方の第２回動軸部２０の回動軸心２０ａを含む部分である中央部分から２軸型ジョイント部材１５”の中心部分に向かって延設した後、この中心部分で垂直に折れ曲がって、一対の第１回動軸部１９の中心を結ぶ回動軸心１９ａに沿うように延設し、先端が吐出部１４側の一方の第１回動軸部１９の回動軸心１９ａを含む部分である中央部分に開口する穴開け流路３９が設けられている。また、穴開け流路３９の第２回動軸部２０側の端部には、第１チューブ装着部３９ａが設けられる。この第１チューブ装着部３９ａには、液剤収容タンク１３に一端部が接続されると共に、下段パイプ部１２ｃの外周面に沿って連結部１６”に向けてこれの軸方向に延設した後に一方の柄側支持部１８に設けた導入穴３６に挿通されるチューブ２２の他端部が、接続固定される。さらに、穴開け流路３９の第１回動軸部１９側の端部には、第２チューブ装着部３９ｂが設けられる。この第２チューブ装着部３９ｂには、吐出部１４側に配置された一方のヘッド側支持部１７の導出穴３４に挿通されて一端部が接続固定部３５ｄ（又は回転部材３５ｃ）を介して吐出部１４の吐出ノズル１４ａと接続する接続チューブ４０の他端部が、接続固定される。
【００３２】
そして、本第４実施形態の湿式清掃具によっても、液剤収容タンク１３から吐出部１４に延びる液剤の流路２１”が、柄側支持部１８の外側から、第２回動軸部２０を経て２軸型ジョイント部材１５”の内部に導入され、２軸型ジョイント部材１５”の中空内部を通過すると共に、第１回動軸部１９を経て当該第１回動軸部１９の回動軸心１９ａを含む部分の延長上においてヘッド側支持部１７を貫通して、吐出部１４に接続されるので、上記第２実施形態と同様の作用効果が奏されることになる。
【００３３】
なお、本発明は上記各実施形態に限定されることなく種々の変更が可能である。例えば、２軸型ジョイント部材は、各角部分が湾曲形状に面取りされた略六面体状を有している必要は必ずしも無く、略球状等、２軸型ジョイント部材として知られるその他の種々の形状を有していても良い。また、第１回動軸部の回動軸心と第２回動軸部の回動軸心とが、同一平面内において垂直に交差している必要は必ずしも無く、上下にずれて交差していたり、垂直以外の角度で交差していても良い。さらに、第１回動軸部や第２回動軸部は、２軸型ジョイント部材の表面から突出して設けられている必要は必ずしもなく、第１回動軸部や第２回動軸部を凹部として設けて、ヘッド側支持部や柄側支持部に設けた凸部に回動自在に枢止させるものであっても良い。
【図面の簡単な説明】
【００３４】
【図１】本発明の好ましい第１実施形態に係る湿式清掃具の側面図である。
【図２】本発明の好ましい第１実施形態に係る湿式清掃具の、２軸型ジョイント部材を用いた連結部の構成を説明する分解斜視図である。
【図３】本発明の好ましい第１実施形態に係る湿式清掃具の構成を説明する要部側断面図である。
【図４】本発明の好ましい第２実施形態に係る湿式清掃具の構成を説明する要部平断面図である。
【図５】本発明の好ましい第３実施形態に係る湿式清掃具の構成を説明する要部側断面図である。
【図６】本発明の好ましい第４実施形態に係る湿式清掃具の構成を説明する要部平断面図である。
【符号の説明】
【００３５】
１０  湿式清掃具
１１  清掃ヘッド
１２  柄
１３  液剤収容タンク
１４  吐出部
１５，１５’，１５”  ２軸型ジョイント部材（連結部材）
１６，１６’，１６”  連結部
１７  ヘッド側支持部
１８  柄側支持部
１９  第１回動軸部
１９ａ  第１回動軸部の回動軸心
２０  第２回動軸部
２０ａ  第２回動軸部の回動軸心
２１，２１’，２１”  液剤の流路
２２  チューブ
２７  第１貫通穴
２８  第１軸穴凹部
２９  第１案内溝
３０  第２貫通穴
３１  第２軸穴凹部
３２  第２案内溝
３３  挿通穴
３４  導出穴
３５ａ  固定シール部
３５ｂ  回転シール部
３５ｃ  回転部材
３５ｄ  接続固定部
３６  導入穴
３７，３９  穴開け流路
３８，４０  接続チューブ
【図１】
2008161565.tif 000003
【図２】
2008161565.tif 000004
【図３】
2008161565.tif 000005
【図４】
2008161565.tif 000006
【図５】
2008161565.tif 000007
【図６】
2008161565.tif 000008